(57)【特許請求の範囲】
【請求項１】
調整時に機器を設置するための調整脚であって、
内側にねじ山（４）のある軸線方向の孔を備えた溝付き環状部材（１）と、
内側のねじ山（４）にかみ合う外側のねじ山（５）を備えた軸部材（２）であって、孔に螺合されるときに、環状部材（１）に対して回動することにより、環状部材に対して軸線方向に調整できる軸部材（２）と、
軸部材（２）の上面に形成された支持部分（６）と、
座金（３）と
を有し、
ここで、座金（３）と支持部分（６）とが、支持部分（６）に対して座金（３）の角度を合わせることができるよう、各々本質的に同一の曲半径（Ｒ）を有する凸面（６６）と凹面（６）に形成され、
環状部材（１）の上面（１０）が放射状に外側方向に下方に傾斜するように作られ、支持部分（６）が軸部材（２）の上面に形成され、支持部分（６）が、外側のねじ山（５）の直径によって定められる輪郭内に完全に位置決めされ、且つ座金（３）の外径（Ｃ）が、最大でも軸部材（２）の外径（Ｂ）と等しいことを特徴とする
調整脚。
【請求項２】
環状部材（１）の上面（１０）が、放射状に外側方向にテーパー状であることを特徴とする、請求項１記載の調整脚。
【請求項３】
前記上面（１０）が環状部材（１）の中心軸（９）に垂直な面に対して約５°〜１５°の角度のテーパー状であり、好ましくはこの角度が最大約１２°であることを特徴とする、請求項２記載の調整脚。
【請求項４】
環状部材（１）の外径（Ａ）が、かみ合う内側（４）及び外側（５）のねじ山の直径（Ｂ）の、少なくとも１．４倍であることを特徴とする、請求項１〜３のいずれか記載の調整脚。
【請求項５】
環状部材（１）の外径（Ａ）がかみ合う内側（４）及び外側（５）のねじ山の直径（Ｂ）の、最大で１．９倍であることを特徴とする、請求項４記載の調整脚。
【請求項６】
環状部材（１）の外径（Ａ）が最大で、かみ合う内側（４）及び外側（５）のねじ山の直径（Ｂ）の１．６倍であることを特徴とする、請求項４又は５記載の調整脚。
【請求項７】
内側のねじ山（４）の軸線方向の高さが、１６〜２５ｍｍの範囲であることを特徴とする、請求項４〜６のいずれか記載の調整脚。
【請求項８】
調整脚がさらに、内側のねじ山（４）の直径よりも大きな、及び／又は、座金（３）の直径よりも大きな直径のキャップ（１１）を有することを特徴とする、請求項１〜７のいずれか記載の調整脚。
【請求項９】
調整時に機器を設置するための調整脚であって、
内側にねじ山（４）のある軸線方向の孔を備えた溝付き環状部材（１）と、
内側のねじ山（４）にかみ合う外側のねじ山（５）を備えた軸部材（２）であって、孔に螺合されるときに、環状部材（１）に対して回動することにより、環状部材に対して軸線方向に調整できる軸部材（２）と、
軸部材（２）の上面に形成された支持部分（６）と、
座金（３）と
を有し、
ここで、座金（３）と支持部分（６）とが、支持部分（６）に対して座金（３）の角度を合わせることができるよう、各々本質的に同一の曲半径（Ｒ）を有する凸面（６６）と凹面（６）に形成され、
内側のねじ山（４）の直径よりも大きな、及び／又は、座金（３）の直径よりも大きな直径のキャップ（１１）
をさらに有し、
支持部分（６）が、外側のねじ山（５）の直径によって定められる輪郭内に完全に位置決めされ、且つ座金の外径（Ｃ）が、最大でも軸部材（２）の直径（Ｂ）と等しいことを特徴とする
調整脚。
【請求項１０】
キャップ（１１）の直径が、内側のねじ山（４）の直径及び座金（３）の直径よりも、各々少なくとも１０％、具体的には少なくとも２５％大きいことを特徴とする、請求項８又は９記載の調整脚。
【請求項１１】
キャップ（１１）の内径が、環状部材（１）、軸部材（２）、座金（３）、又は支持部分（６）の外径の中の、一番大きい外径よりも大きく、具体的には、前記一番大きい外径よりも、約０．５％〜２％大きいことを特徴とする、請求項８〜１０のいずれか記載の調整脚。
【請求項１２】
キャップ（１１）が、キャップ （１１）により画定される空間（３２）を有し、該空
間が、軸部材（２）が、環状部材（１）から突出できる、又は少なくとも最大調整時において環状部材（１）の上に突出するように意図されている最大の軸線方向の長さ以上の軸線方向の高さ（Ｖ）を有することを特徴とする、請求項１１記載の調整脚。
【請求項１３】
キャップ（１１）が、座金（３）から座金（３）の外周下端部の下方に延出しており、好ましくは該外周下端部よりも、少なくとも約５〜１０ｍｍ下方に延出していることを特徴とする、請求項１２記載の調整脚。
【請求項１４】
キャップ（１１）により画定される空間（３２）の軸線方向の高さ（Ｖ）が、最大でも、内側（４）及び外側（５）のねじ山が互いに完全に螺合するときの、環状部材（１）、軸部材（２）及び座金（３）が形成するユニット（unit）の軸線方向の高さ（Ｆ）に等しく、好ましくは前記最大の高さの９５％〜９９％以下であることを特徴とする、請求項１２又は１３記載の調整脚。
【請求項１５】
支持部分（６）が少なくとも部分的に、好ましくは完全に、外側のねじ山（５）に囲まれた、軸部材の帯域に沈み込むことを特徴とする、請求項１〜１４のいずれか記載の調整脚。
【請求項１６】
軸線方向に見た場合、軸部材（２）の高さが環状部材（１）の高さ以下であり、且つ径方向に見た場合、軸部材（２）の寸法が、外側のねじ山（５）により定められる輪郭内に完全に収まることを特徴とする、請求項１〜１５のいずれか記載の調整脚。
【請求項１７】
支持部分が凹面（６）に形成され、座金が凸面（６６）に形成されることを特徴とする、請求項１〜１６のいずれか記載の調整脚。
【請求項１８】
軸部材（２）と座金（３）とが、アンカーボルト（９、１７）のための軸線方向の開口部を備えていることを特徴とする、請求項１〜１７のいずれか記載の調整脚。
【請求項１９】
座金（３）を貫通する軸線方向の開口部が、軸部材（２）を貫通する軸線方向の開口部の直径よりも、約３２〜４８％大きい直径を有することを特徴とする、請求項１〜１８のいずれか記載の調整脚。
【請求項２０】
軸部材（２）の軸線方向の長さが、環状部材（１）の軸線方向の高さ以下であり、且つ軸部材（２）がその軸線方向の全長に沿って外側のねじ山（５）を備え、及び／又は、軸線方向の孔の内側のねじ山（４）が、環状部材（１）の軸線方向の高さ全体にわたり、設けられていることを特徴とする、請求項１〜１９のいずれか記載の調整脚。
【請求項２１】
請求項１〜２０のいずれか記載の調整脚と、土台（１６）と、調整時に該土台（１６）上に設置される機器（１４）と、アンカーボルト（１７）との組合せからなり、該機器（１４）が、調整脚を介して、アンカーボルト（１７）によって土台（１６）に固定されているアセンブリ。
【請求項２２】
環状部材（１）の底面（８）が土台（１６）上に据えられ、且つ機器（１４）が座金（３）に当接しているか、又はその代わりに座金（３）に当接しているキャップ（１１）に当接していることを特徴とする、請求項２１記載のアセンブリ。
【発明の詳細な説明】
【技術分野】
【０００１】
本発明は、調整時に機器を設置するための調整脚であって、
内側にねじ山のある軸線方向の孔を備えた溝付き第一調整部と、
内側のねじ山にかみ合う外側のねじ山を備えた第二調整部であって、
孔に螺合されるときに、第一調整部に対して回動することにより、第一調整部に対して軸線方向に調整できる第二調整部と、
支持部分に対して座金の角度を合わせることができるよう、各々本質的に同一の曲半径を有する凸面と凹面に形成された支持部分及び座金であって、第一調整部又は第二調整部の上面に形成された支持部分、及び座金と
を有する
調整脚に関する。
【背景技術】
【０００２】
この型の調整脚は、欧州特許第３１６２８３号に開示されている。かかる公報に開示されている調整脚は、第一調整部（２）と、上面が凹面状に広がった支持部分（４）が上面にある第二調整部（６）とからなる。第二調整部は、外側のねじ山を備え、第一調整部は、内側のねじ山を備えている。かかる内側及び外側のねじ山は互いにかみ合っており、第二調整部（６）が第一調整部（２）に対して回動すると、これらの部品の軸線方向の高さが互いに調整できる。支持部分（４）の上には、下側が凸面の座金（７）があり、その曲半径は、支持部分（４）の上面の凹面の曲半径に等しい。
【０００３】
欧州特許第３１６２８３号に開示されている調整脚は、本発明による調整脚と同様に、例えば振動を回避するために（例えば洗濯機は、できる限り安定するように、調整脚を用いて基板上に設置される）、機器を基板上に安定、水平に設置するときに使用する。また、固定のためにアンカーボルトを緊締するときに、機器に歪みを引き起こすのを回避するために、さらに種々の機器を互いに調整して設置するためにも使用する。後者の事例では、例えばモーターと作動器具が別体である場合、シャフトを用いて作動器具に連結されているモーターについて考慮を要し、通常伝動シャフトに対して互いに調整して設置しなければならず、調整脚はこのような目的にも使用される。
【０００４】
欧州特許第３１６２８３号による調整脚は、内側及び外側のねじ山の螺合部にほこりや湿気が進入し得るという欠点がある。特にかかる調整脚の使用にあたり、一番低い位置まで螺合されていないときに、そのような作用を受ける。その場合、広がった支持部分（４）と第一調整部（２）の間には隙間があるのだから、そこを通ってほこりや湿気が螺合部に進入できる。これにより、螺合部が固まってしまい、さらに回動させることができなくなる。
【０００５】
本発明の目的は、内側及び外側のねじ山の螺合部に、ほこりや湿気が進入するのを抑制し、また好ましくは完全に防止する、改良型調整脚を提供することである。
【特許文献１】欧州特許第３１６２８３号
【発明の開示】
【０００６】
本発明によれば上記の目的は、先に記載のような型の調整脚の、第一調整部の上面を、放射状に外側方向に下方に傾斜させることで達成される。かかる第一調整部の上面を放射状に外側方向に下方に傾斜させることにより、前記表面に付着したほこりや湿気が第一調整部の外側へと、つまり螺合部から遠ざかるように、又は少なくとも反対方向へと誘導され、従ってほこりや湿気が、螺合部へと進入するのがより困難となる。
【０００７】
本発明によれば費用の観点から、第一調整部の上面は放射状に外側方向に次第に薄くする（テーパー状にする）のが好ましい。このようなテーパー状の表面、つまり放射方向に直線的に続く表面は、湾曲面よりも製造が容易であり、従って相対的な低コストにつながる。この構成において前記上面は、好ましくは中心軸に対して約５°から１５°の角度でテーパー状にし、この角度は好ましくは最大でも約１２°、例えば約１０°でもよい。このテーパーの角度が大きすぎると、第一調整部が放射状に引き伸ばされやすいことから、内側のねじ山の上部がその軸受強度を一部失い、その部分で、第二調整部の外側のねじ山との螺合が失われる。前記テーパーの角度が小さすぎると、ほこりや湿気が放射状に外側に十分下っていかないことになる。
【０００８】
本発明によれば、内側及び外側のねじ山の螺合部に、ほこりと湿気が進入するのをさらに抑制するためには、前記調整脚がさらに、内側のねじ山の直径よりも大きな、及び／又は、座金の直径よりも大きな直径のキャップを有することが有利である。そうすれば、このキャップは螺合部を覆い、又は座金部分を越えて突き出て、内側／外側のねじ山に進入しようとするほこりや湿気に対し、さらなる障害となり、皿状の凸面及び凹面の間にほこりや湿気が進入するのを抑制することができる。
【０００９】
しかしながら本発明によれば、このキャップはまた、放射状に外側方向に下方に傾斜する第一調整部の表面から独立して使用することができる。そのさらなる側面によれば次に本発明はまた、調整時に機器を設置するための調整脚であって、
内側にねじ山のある軸線方向の孔を備えた溝付き第一調整部と、
内側のねじ山にかみ合う外側のねじ山を備えた第二調整部であって、孔に螺合されるときに、第一調整部に対して回動することにより、第一調整部に対して軸線方向に調整できる第二調整部と、
支持部分に対して座金の角度を合わせることができるよう、各々本質的に同一の曲半径を有する凸面と凹面に形成された支持部分及び座金であって、第一調整部又は第二調整部の上面に形成された支持部分、及び座金と
を有し、
内側のねじ山の直径よりも大きな、及び／又は、座金の直径よりも大きな直径のキャップをさらに有する
調整脚に関する。
【００１０】
本発明によれば、キャップが、ほこり及び／又は湿気が螺合部及び凹面と凸面の間の皿状面へ進入するのを確実に抑制するためには、前記キャップの直径は、内側のねじ山の直径及び座金の直径よりも各々、少なくとも１０％、具体的には少なくとも２５％大きいことが有利である。このような背景からいえば、キャップの内径が、前記調整脚のその他の部品の中の、一番大きい外径よりも大きいことが、特に有利であり、他の部品の中の、かかる一番大きい外径よりも、少なくとも約０．５％〜２％大きいことが、とりわけ有利である。このようにすればキャップは、調整脚のその他の部分を、上部から完全に確実に覆うことができる。
【００１１】
本発明によればキャップが、座金から下側に座金の外周下端部の下方に延出していることが特に有利であり、かかる外周下端部よりも、少なくとも約５〜１０ｍｍ下方に延出していることが好ましい。このようにすれば確実に、凸面と凹との間の接触面帯域の外部境界線が覆われて保護される。
【００１２】
本発明によれば、キャップが、キャップにより画定される空間を有することが特に有利であり、かかる空間が、第二調整部が第一調整部から突出できる、又は少なくとも最大で突出させようと意図する、最大の軸線方向の長さ以上の軸線方向の高さを有することが、特に有利である。このような背景からいえば、意図する大きさは本質的に調整の幅によって定められる。このようにすれば、上側から延出するキャップの下端が常に、内側及び外側のねじ山の互いの係合帯域上端より下側に確実に届き、また凹面と凸面とが、常にほこり及び湿気から保護される。
【００１３】
本発明によれば、キャップが、内側及び外側のねじ山が互いに完全に螺合するのを妨害しないよう、前記内部空間の軸線方向の高さは、最大でも、内側及び外側のねじ山が互いに完全に螺合するときに、第一調整部、第二調整部及び座金が形成するユニット（unit）の軸線方向の高さに等しいことが有利である。本発明によれば、座金が鉛直方向に対して傾斜するのを妨害しないよう、この構成においては、内部空間の軸線方向の最大高が、先に記載した最大値の９５％〜９９％以下であることが好ましい。
【００１４】
設置中の調整脚を安定させるため、本発明によれば第二調整部の上面が支持部分に形成され、かつかかる支持部分が第一調整部の上面には形成されていないことが好ましい。
【００１５】
本発明によれば、調整脚の全体的な高さを最低限に抑えるため、支持部分が、完全に外側のねじ山の直径によって定められる輪郭内に位置決めされることが有利である。より具体的には、第二調整部全体が、外側のねじ山の直径により定められる輪郭の内側に収まるように位置決めする。このようにすれば、第二調整部を、第一調整部中に完全に沈み込ませることができる。
【００１６】
本発明によれば、調整脚の全体的な高さをさらに最低限に抑えるため、支持部分は、少なくとも部分的に、好ましくは完全に、外側のねじ山に囲まれた、第二調整部の帯域に沈み込む（sunken in）ことが好ましい。
【００１７】
本発明によれば、調整脚の全体的な高さを最低限に抑えるため、座金の直径は、第二調整部の直径よりも小さいことが好ましい。このようにすれば、第二調整部が第一調整部中に沈み込んでいても、依然として座金の傾きを合わせることができる。座金の直径は、第二調整部の直径よりも約４〜１０ｍｍ、例えば約６ｍｍ小さいことが好ましい。
【００１８】
本発明によれば安定性の観点から、支持部分が凹面に形成され、座金が凸面に形成されることが好ましい。そうすれば座金はくぼみ、即ち支持部分の凹面にはまっているので、ひとりでに支持部分から外れることはない。このことは特に、本発明による調整脚の設置中に役立つ。本発明による調整脚を用いて調整し設置される機器が、かかる調整脚を介してさらに基板に固定できるようにするためには、本発明によれば、第二調整部と座金とが、アンカーボルトのための軸線方向の開口部を備えていることが好ましい。本発明によれば、座金の角度を十分な程度にまで合わせることができるよう、座金を貫通する軸線方向の開口部が、第二調整部を貫通する軸線方向の開口部の直径よりも、約３２〜４８％大きい直径を有することが有利である。
【００１９】
本発明によれば、調整脚の全体的な高さを最低限に抑えるため、第二調整部の軸線方向の長さが、第一調整部の軸線方向の高さ以下であり、かつ第二調整部が、その軸線方向の全長に沿って外側のねじ山を備え、及び／又は、軸線方向の孔の内側のねじ山が、第一調整部の軸線方向の高さ全体にわたり、設けられていることが、さらに有利である。このようにすれば、第二調整部が確実に第一調整部の中に完全に沈み込むことができ、その結果どの側からみても、第二調整部が第一調整部から突出することはない。
【００２０】
欧州特許第３１６２８３号から周知である調整脚は、軸線方向の高さが相対的に高い第一調整部（２）を有し、結果的に調整脚全体の高さが相対的に高くなっている。
【００２１】
そのまたさらに別の側面によれば、本発明の目的は、先に記載の型の、全体的な軸線方向の高さを低下させることができる調整脚を提供することである。
【００２２】
本発明によれば、前記目的は、先に記載の型の調整脚において、第一調整部の外径を、かみ合う内側及び外側のねじ山の直径の、少なくとも１．４倍とすることにより達成できる。先に記載の調整脚の場合、軸部が調整脚に不具合を生じさせることなく、非常に大きな荷重を第一調整部に伝達できなければならないことを認識するのが重要である。従来この手法では、かみ合う外側及び内側のねじ山の間の係合の長さは、十分長く（sufficiently long）選択する必要があった。さらに、かみ合うねじ山の間の係合の長さを最短（a minimum length of engagement）にするためには、常に軸部が所定の最短距離にわたって（over a certain minimum distance）第一調整部に螺合するようにしなければならなかった。本出願人は、調整脚の不具合を防ぐのは、かみ合うねじ山の間の係合の長さではなくむしろ、このような背景からいえば、調整脚が受ける荷重の影響により、第一調整部が放射方向に引き伸ばされないようにすることが重要であり、前記荷重は第二調整部の外側のねじ山と第一調整部の内側のねじ山を経て、かかる第一調整部に伝わることを見出した。第二調整部の外側のねじ山と第一調整部の内側のねじ山との係合が失われる程度に、第一調整部が放射状に引き伸ばされると、第二調整部が第一調整部に沿って下方に脱落する。本出願人はこれについて、第一調整部の外径を、かみ合う内側及び外側のねじ山の直径の少なくとも１．４倍とする要件を設けるだけで、十分に解決できることを見出した。
【００２３】
このような背景からいえば、本出願人はさらに、第一調整部の外径が、かみ合う内側及び外側のねじ山の直径の１．９倍の大きさを超えると、それ以上に第一調整部の外径を大きくしても、不具合に対する防御としてはわずかしか役立たないことを見出した。このような背景からいえば具体的には、第一調整部の外径が最大でも、かみ合う内側及び外側のねじ山の直径の、１．６倍であることが好ましい。
【００２４】
内側のねじ山の軸線方向の高さに関する限り、本発明によれば、１６〜２５ｍｍの範囲の長さで十分である。
【００２５】
その別な側面によれば本発明は、アンカーボルトを用い、機器が調整脚を介して土台に固定される、本発明による調整脚、土台、調整時にかかる土台上に設置される機器、及びアンカーボルトの組合せに関する。このとき、第一調整部の底面が土台上に据えられ、かつ機器が、座金に当接しているか、又はその代わりに座金に当接しているキャップに当接していることが、特に有利である。
【００２６】
他の側面から完全に独立させられる、そのさらに別の側面によれば本発明は、調整時に機器を設置するための調整脚であって、
内側にねじ山のある軸線方向の孔を備えた溝付き環状部材と、
内側のねじ山にかみ合う外側のねじ山を備えた軸部材であって、孔に螺合されるときに、環状部材に対して回動することにより、環状部材に対して軸線方向に調整できる軸部材と、
支持部分に対して座金の角度を合わせることができるよう、各々本質的に同一の曲半径を有する凸面と凹面に形成された支持部分及び座金であって、環状部材又は軸部材の上面に形成された支持部分、及び座金と
を有し、
軸線方向に見た場合、第二調整部の高さが第一調整部の高さ以下であり、且つ径方向に見た場合、第二調整部の寸法が、外側のねじ山により定められる輪郭内に完全に収まる
調整脚に関する。
この調整脚全体の軸線方向の最低の高さは、第一調整部の軸線方向の高さという、最低限度に抑えられている。第二調整部は、第一調整部の中に完全に螺合させることができる。この構成においては、座金の外径が外側のねじ山の直径よりも小さいことが特に有利であり、具体的には座金の外径が、外側のねじ山の直径よりも約４〜１０ｍｍ、例えば６ｍｍ小さいことが、特に有利である。このような背景からいえば、請求項１及び５の特徴部分は、その他の請求項もまた有利な実施形態を構成するのと同様、有利な実施形態を構成し、これらから従属請求項が連なることができる。
【発明を実施するための最良の形態】
【００２７】
添付図面を参照して、本発明を下記に、より詳細に説明する。図中、
図１は、本発明による調整脚の断面図を示している。この調整脚は、第一調整部を形成する環状部材１、第二調整部を形成する軸部材２、及び座金３を有する。環状部材１は、内側のねじ山４を備えており、軸部材２は、外側のねじ山５を備えている。かかる内側のねじ山４と外側のねじ山５とは互いにかみ合い、即ち軸部材２は、環状部材１の中に螺合させることができる。部品１、２及び３は、鋼鉄製、特に高品質の鋼鉄製であることが好ましい。
【００２８】
軸部材２はその上面が、曲半径Ｒの凹面状の支持部分６に形成されている。座金はその下面が、曲半径Ｒに相当する半径の凸面６６に形成されている。したがって座金３は軸部材２に対して動くことができ、環状部材１の底面８に対し、座金３の上面７の傾きを合わせることができる。これによりひとつには、環状部材１の底面８が基板上に平面で当接し、もうひとつには、座金の上面７と支持される機器の底面とが平面で当接することができる。
【００２９】
軸部材２を環状部材１に対して回動させることで、（図１及び図２は、それらが互いに完全に螺合している位置を示しているが、図３は互いに部分的に螺合している位置を示している）必要に応じ、調整脚がまたがる鉛直方向の距離Ｘ（図４参照）を設定できる。
【００３０】
図１及び次の表１中の参照記号Ａ、Ｂ、Ｃ、Ｄ、Ｅ、Ｆ及びＲに関していえば、これらＡ、Ｂ、Ｃ、Ｄ、Ｅ、Ｆ及びＲの値を用い、１型〜１０型と呼ばれる１０の型式が、表１に例示されている。これらはＦとＲを除き、直径の値である。調整脚は、軸９に関して円形に対称である。
【００３１】
【表１】
0004668169.tif 000002
【００３２】
座金３の直径（表１も参照）は、軸部材２の直径よりも約６ｍｍ小さい（即ちＢ−Ｃ）。これにより、軸部材が環状部材１の中に完全に螺合されていても、相対的に広い傾斜範囲で傾斜を調整することができる。
【００３３】
上方から調整脚に到達したほこり及び湿気が、かみ合うねじ山４及び５に進入できないようにするため、環状部材１の上面１０は、放射状に外側方向にβの角度のテーパー状となるよう成形される。このβの角度は、５°から１５°の範囲とすることができ、βが急角度であるほど、ほこりや湿気が、かみ合うねじ山４及び５から放射状に外側方向に誘導される。しかし、その角度が環状部材の上端まで続くと、内側のねじ山４の軸受強度への負の影響もまた大きくなる。
【００３４】
図２は本質的に図１の調整脚とほぼ同様であるが、キャップ１１を備えている。キャップ１１は座金３に取り付けることができるが、座金３との一体型として形成することもできる。
【００３５】
キャップは、座金の表面に対して沈み込んでいることが好ましい。その結果かかるキャップは、いわゆる機器１４を支持する部品ではなくなる。したがってかかるキャップは、座金に比べ、プラスチックのような相対的に弱い材質で作ることができる。キャップ１１の主目的は、ひとつにはかみ合うねじ山４及び５を上部から覆うことであり、もうひとつには、凹面６及び凸面６６をほこりや湿気の進入から保護することである。そのためにはキャップ１１が、内側のねじ山５又は外側のねじ山４（結果的にはどちらでも同じである）の直径よりも大きな、又は座金の直径よりも大きな直径を有することが重要である。そのためには、中心軸９から見て、キャップ１１が例えば矢印Ｙのあたりまで、即ちかみ合うねじ山４及び５を超えた位置まで及んでいれば十分である。これを確実にするために、キャップ１１の直径は、かみ合うねじ山４及び５の直径よりも好ましくは少なくとも１０％、より好ましくは少なくとも２５％大きくする。キャップ１１の直径を大きくし、下方に下がる周壁１２をキャップに備えて、キャップの上面１３の下側と、下がり壁１２との間に内部収容空間３２を形成することで、環状部材１の上面に沿って、外側から放射状に進入するほこり及び／又は湿気を抑制することができる。当然のことながら、この構成において、上面１０をテーパー状にすることには依然として有利な点があるものの、直接的な重要性はない。またキャップ１１が、ちょうど矢印Ｙのあたりまで及ぶ直径を有する場合、即ちキャップがかみ合うねじ山４及び５の直径よりも大きな直径を有する場合も状況に応じ、表面１０をテーパー状にせずに済ませることができる。
【００３６】
図２はさらに調整し設置される機器の脚部分１４と共に、ねじ山を備える六角形のボルト１５を示している。これにより、前記機器１４は、基板１６上に固定される。図２の調整脚は、完全な緊結位置で示されているが、機器を調整し設置する場合には、このようなことは実際には頻繁に起きないことは明らかである。
【００３７】
本発明によれば、図２に示すキャップ１１が、座金３が軸部材２に対して傾斜位置をとるのを妨害しないよう、キャップ１１の内高Ｖは、全体的な最低の高さＦ（ここで、キャップ１１の軸線方向の厚みは考慮に入れられていない）の約９５％〜９９％であることが好ましい。キャップ１１の下がり壁１２は、座金３が軸部材２に対して傾斜すると、局所的に環状部材１の方向に下方に傾動する傾向があることから、本発明によればキャップ１１の内径は、調整脚の他の部品の中の、一番大きい外径よりも大きいことが好ましく、他の部品の中の一番大きい外径よりも、約０．５％〜２％大きいことが特に好ましい。したがってこの構成において、距離Ｗは、キャップ直径の余裕分である、前記０．５〜２％の半分である。
【００３８】
外側のねじ山５が、内側のねじ山４との係合を、完全に又は部分的に失うことにより、中心軸９の方向に荷重が作用する影響で、軸部材２が環状部材１に対して押し下げられるのを防ぐため、本発明によれば、環状部材１の外径Ａには、かみ合うねじ山の名目直径Ｂの、少なくとも１．４倍の直径を設けることが重要である。このようにすれば確実に、内側のねじ山５と外側のねじ山４が局所的にその係合を失う程度にまで、環状部材１が放射方向に引き伸ばされることがないようにすることができる。内側のねじ山が荷重を十分に支えるねじ山として環状部材１の上面まで続くことができるよう、角度βは最大でも１５°、例えば約１０°であることが好ましい。
【００３９】
同時に本発明によれば、本発明による調整脚の径方向の寸法を最小限にするために、環状部材の外径は最大でも、かみ合う内側及び外側のねじ山の直径の１．９倍とすることが好ましく、最大でも、かかるかみ合う内側及び外側のねじ山の１．６倍とすることがより好ましい。
【００４０】
図１及び図２から明らかなように、本発明による上記に記載の方策を用い、全体的な高さＦという点では、非常に薄い調整脚を製造することができる。軸部材２の最大の高さは、環状部材１の軸線方向の最大の高さ以下とすることができる。この構成において、皿状の凹面６は、外側のねじ山５によって囲まれた帯域に、いわば完全に沈み込む。しかしこのことは、少なくとも欧州特許第３１６２８３号に記載されている周知の技術と比較して、軸部材２が扱いにくくなることを意味する。それでもなお、軸部材２を、環状部材に対して調整できるようにするため、本発明は特別なツールを提供する。図３及び図４を参照し、このツールについてより詳細に説明する。
【００４１】
図３は、このようなツール４０の１つ目の実施形態を示している。図示されているかかるツール４０は、上端に作動ナット５０がある、ねじ山を備えた張力ピン４６を有する。かかる張力ピン４６は、スリーブ４５を貫通している。第二支持部分として作動する第二クランピング・ブロック・ガイド４１が、スリーブ４５の底部に備えられている。かかるクランピング・ブロック・ガイド４１は、テーパー状の周面を有している。第一支持部分として作動する第一クランピング・ブロック４２は、同様にテーパー状の案内面を有し、クランピング・ブロック・ガイド４１の下側に備えられている。この第一クランピング・ブロック・ガイド４２は、ナット４７上に据えられている。このナット４７は回動できないよう、ロッキングピン４８を用いてピン４６上に取り付けられている。中心軸５２周りに、３つのクランピング・ブロック４３が、周縁方向に設けられている。これらのクランピング・ブロック４３は、弾性リング４４により、軸５２周りに共に保持されている。かかる弾性リング４４は、プレテンション（予緊張）されており、それにより、クランピング・ブロック４３がスプリング力に勝って、放射状に外側方向に動くか、又はスプリング力の影響を受けて放射状に内側方向に動くことができる。これは、案内部品４１及び案内部品４２間の軸線方向の距離の変化によって異なる。ナット４７が、案内部品４２に対して回転できると有利である。ピン４６のスリーブ４５に対する回転は、ピン４６に設けられたペグ４９によって防止され、ペグ４９は、ピンに対して直交方向に通り、スリーブ４５の中に備えられた軸線方向の溝に納まっている。スリーブ４５の上端には、閉鎖フランジが備えられている。
【００４２】
ここで、案内部品４１及び４２間の軸線方向の距離は、ナット５０を回動することにより変えることができる。案内部品４１及び４２が軸線方向に互いに接近するとき、クランピング・ブロック４３は放射状に外側方向に押される。案内部品４１及び４２が軸線方向に離反するときは、クランピング・ブロック４３は、リング４４の弾性プレテンションの影響を受けて、放射状に内側方向に動く。環状部材１に対して軸部材２を回動させるために、前記ツール４０をどのように使用するか、当業者には明らかである。前記の目的のため、クランピング・ブロック４３を孔の中に設置するべく、ツール４０の底部を孔１８の中に差し込む。そしてナット５０を回動させ、クランピング・ブロック４３が、孔１８の周壁に十分に固く係合するまで、案内部品４１と４２とを接近させる。次に、ツール４０を静止させて保持し、環状部材１を回動させることにより、又は逆に、環状部材１を静止させて保持し、軸５２周りにツール４０を回動させることにより、軸部２を回動させることができる。
【００４３】
図４は、前記ツールの２つ目の実施形態を示すものである。ツール２０は、軸部材２の孔１９に、軸線方向に差し込むことができる差込端２１を有している。前記の目的のため、差込端２１には、一種のフィンガー２２（これらは必要に応じ、共に閉鎖スリーブを形成することができる）が備えられている。これらのフィンガーは、アンカーボルト１７が既に固定されている、前記基板１６上に、まず調整脚１及び２を設置できるように、上方に延出するボルト１７の端部を覆うように差し込むことができる。この場合クランピング・ブロックの形態をとる把持手段（gripper means）２３が、フィンガー２２の下端に備えられている。これらのクランピング・ブロック２３は、フィンガー２２がその一部を構成するレバー機構を用いて操作することができる。かかるレバー機構は、本質的にフィンガー２２及びアーム３３からなり、それらは互いに地点２４で関着しており、またアームは地点３４で、共通の第二支持部分２５に関着している。またフィンガー２２は、地点３５で共通の第一支持部分２６に関着している。支持部分２５及び２６を互いに動かすことにより、クランピング・ブロック２３を放射状に外側方向に、又は放射状に内側方向に動かすことができる。この支持部分２５及び２６の互いに対する動きは、例えば支持部分２５をピン２７上に固定して、支持部分２５がピン２７の縦軸に対して回転できるようにし、支持部分２６を、ピン２７が貫通するスリーブ２８の下端に固定することによって実現できる。スリーブ２８は、その上端部にナット体２９を備え、そこをピン２７が、ねじ山３０によって貫通している。ここで、支持部分２６に対する支持部分２５の動きは、アーム３１を用いてピン２７をスリーブ２８に対して回動させることにより生じる。
【００４４】
極めて図式的に示されたこれら図３及び４のツールが、可能な実施形態の単なる例示に過ぎないことは、当業者には明らかである。特にこのようなツールは、非常に多くの様式で作ることができる。このようなツールの利点は、軸部材２を貫通する孔１８が、特別な形状を備えていなくてもよく、単に普通の円形孔のままでよいということである。しかし孔１８はまた、非円形に作ることもできる。この場合前記ツールは単に、非円形の孔１８にしっかり嵌るように差し込むことができる差込端を備えていればよい。これは例えば、前記非円形孔に軸線方向に対向する溝を備え、差込端２１をいわばプレート状に作り、これらのプレート状の端部が、孔１８に作られた対向する溝に納まるようにすることにより実現できる。
【００４５】
本出願の図２及び、欧州特許第８８８５１４号の図面の、参照番号２３を踏まえると、キャップ１１はまた、環状部材１に備えられる目盛りと併用することにより機能すると指摘できる。本発明のこの事例の場合、キャップ１１は、環状部材１に対して傾斜できるため、環状部材１の周面に、鉛直方向に多数の目盛りを配するか、全周面に及ぶ目盛りを備えることが好ましい。さらに、目盛りが複数あれば、測定が容易になる。本発明によれば、かかる目盛りは一本の基準線でもよい。これにより例えば、前記調整脚の最大の（ねじを離反させた）高さを示すことができる。したがって、このねじを離反させた最大の高さは、付随する内側及び外側のねじ山間の係合の長さが、いわゆる「機器」を載せた結果生じる、あらかじめ設定された設計上の荷重を支持できる、十分な軸受強度を備えるよう決定する。
【００４６】
図５及び６は、本発明によるさらに別の調整脚を示している。図５及び６と、その他の図との違いは、本質的にはその各々のキャップにあるので、その他の部分については、共通の参照番号を使用する。
【００４７】
図５において軸部材は、その円周上面に形成された凹所を備えている。さらに軸部材２に嵌合するキャップ８０が設けられており、かみ合うねじ山４及び５をほこりの作用から保護するべく、軸部材２から環状部材１の上部に延出している。この場合キャップ８０は、薄板材から作られた平坦な輪状である。キャップ８０はその内周に、軸部材の凹部８１に嵌合する歯を備えている。このようにしてキャップ８０は、互いに回転できないように軸部材に固定される。
【００４８】
キャップ８０はその外周に、間に溝８４を有する、２つ１組の指かけを数多く備えている。指かけ８３は、環状部材１の外縁の外側まで延出している。指かけ８３は、環状部材１に対して軸部材２を回動させるのに用いる。本発明による調整脚の高さは、このようにして調整が可能であり、また位置調整して設置される装置が、既に前記調整脚の上に配置されている場合でも、調整が可能である。歯８２の数及び２つ１組の指かけ８３の組数は、１から優に１０以上の、広い範囲で設けることができるものとする。
【図面の簡単な説明】
【００４９】
【図１】本発明による調整脚の断面図である。
【図２】本発明による調整脚の変形の、設置位置での断面図である。
【図３】１つ目の設置用ツールの断面図及び部分的な正面図である。
【図４】２つ目の設置用ツールを伴った本発明の調整脚の断面図及び部分的な正面図である。
【図５】本発明による調整脚の、別の形態の断面図である。
【図６】図５による別の形態のキャップの上面図である。
【図１】
0004668169.tif 000003
【図２】
0004668169.tif 000004
【図３】
0004668169.tif 000005
【図４】
0004668169.tif 000006
【図５】
0004668169.tif 000007
【図６】
0004668169.tif 000008